(57)【要約】  本出願は、データ送信方法及び装置を提供する。当該方法は、ネットワークノードが、端末によって送信されたアップリンクデータ送信リクエストを受信するステップであって、アップリンクデータ送信リクエストは、端末にアップリンク送信リソースを割り当てるようネットワークノードに要求するのに利用される、受信するステップと、ネットワークノードが、アップリンクデータ送信リクエストに従って端末に第１のサブフレームのアップリンク送信リソースを割り当てるステップであって、第１のサブフレームはアップリンクサブフレーム又はダウンリンクサブフレームである、割り当てるステップと、ネットワークノードが、端末にスケジューリング制御情報を送信するステップであって、スケジューリング制御情報は、第１のサブフレームのアップリンク送信リソース上でデータを送信するよう端末に指示するのに利用される、送信するステップと、第１のサブフレームがダウンリンクサブフレームである場合、ネットワークノードが、第１のサブフレームにおいてデータを送信することを中止し、第１のサブフレームのアップリンク送信リソース上で端末によって送信されたデータを受信するステップとを含む。これは、アップリンクデータに対してダウンリンクデータによって引き起こされる干渉を回避し、低遅延サービスのＱｏＳ満足を保証する。
2019515548.tif 000002
【特許請求の範囲】
【請求項１】
データ送信方法であって、
ネットワークノードが、端末によって送信されたアップリンクデータ送信リクエストを受信するステップであって、前記アップリンクデータ送信リクエストは、前記端末にアップリンク送信リソースを割り当てるよう前記ネットワークノードに要求するのに利用される、受信するステップと、
前記ネットワークノードが、前記アップリンクデータ送信リクエストに従って前記端末に第１のサブフレームのアップリンク送信リソースを割り当てるステップであって、前記第１のサブフレームはアップリンクサブフレーム又はダウンリンクサブフレームである、割り当てるステップと、
前記ネットワークノードが、前記端末にスケジューリング制御情報を送信するステップであって、前記スケジューリング制御情報は、前記第１のサブフレームの前記アップリンク送信リソース上でデータを送信するよう前記端末に指示するのに利用される、送信するステップと、
前記第１のサブフレームがダウンリンクサブフレームである場合、前記ネットワークノードが、前記第１のサブフレームにおいてデータを送信することを中止し、前記第１のサブフレームの前記アップリンク送信リソース上で前記端末によって送信されたデータを受信するステップと、
を有するデータ送信方法。
【請求項２】
前記第１のサブフレームがダウンリンクサブフレームである場合、当該方法は更に、
前記ネットワークノードが、近傍セルにおけるネットワークノードに第１の制御情報を送信するステップであって、前記第１の制御情報は、前記第１のサブフレームにおいてデータを送信することを中止するよう前記近傍セルにおける前記ネットワークノードに指示するのに利用される、送信するステップを有する、請求項１記載の方法。
【請求項３】
前記第１のサブフレームがダウンリンクサブフレームであって、前記ネットワークノードが配置されるセルがマクロセルによってカバーされる場合、当該方法は更に、
前記ネットワークノードが、前記マクロセルにおけるネットワークノードに第２の制御情報を送信するステップであって、前記第２の制御情報は、前記第１のサブフレームにおいてデータを送信することを中止するよう前記マクロセルにおける前記ネットワークノードに指示するのに利用される、送信するステップを有する、請求項１又は２記載の方法。
【請求項４】
前記ネットワークノードが、前記端末にスケジューリング制御情報を送信するステップは、
前記ネットワークノードが、第２のサブフレームにおいて前記端末に前記スケジューリング制御情報を送信するステップであって、前記第２のサブフレームは前記第１のサブフレームの前のサブフレームである、送信するステップを有する、請求項１乃至３何れか一項記載の方法。
【請求項５】
前記ネットワークノードが、端末によって送信されたアップリンクデータ送信リクエストを受信するステップは、
前記ネットワークノードが、第３のサブフレームにおいて前記端末によって送信された前記アップリンクデータ送信リクエストを受信するステップであって、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、受信するステップを有する、請求項４記載の方法。
【請求項６】
データ送信方法であって、
端末が、ネットワークノードにアップリンクデータ送信リクエストを送信するステップであって、前記アップリンクデータ送信リクエストは、前記端末にアップリンク送信リソースを割り当てるよう前記ネットワークノードに要求するのに利用される、送信するステップと、
前記端末が、前記ネットワークノードによって送信されたスケジューリング制御情報を受信するステップと、
前記端末が、前記スケジューリング制御情報に基づき第１のサブフレームのアップリンク送信リソース上でデータを送信するステップであって、前記第１のサブフレームはアップリンクサブフレーム又はダウンリンクサブフレームである、送信するステップと、
前記第１のサブフレームがダウンリンクサブフレームである場合、前記端末が、前記第１のサブフレームにおいてデータを受信することを中止するステップと、
を有するデータ送信方法。
【請求項７】
前記端末が、前記ネットワークノードによって送信されたスケジューリング制御情報を受信するステップは、
前記端末が、第２のサブフレームにおいて前記ネットワークノードによって送信された前記スケジューリング制御情報を受信するステップであって、前記第２のサブフレームは前記第１のサブフレームの前のサブフレームである、受信するステップを有する、請求項６記載の方法。
【請求項８】
前記端末が、ネットワークノードにアップリンクデータ送信リクエストを送信するステップは、
前記端末が、第３のサブフレームにおいて前記ネットワークノードに前記アップリンクデータ送信リクエストを送信するステップであって、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、送信するステップを有する、請求項７記載の方法。
【請求項９】
データ送信装置であって、
端末によって送信されたアップリンクデータ送信リクエストを受信するよう構成される受信モジュールであって、前記アップリンクデータ送信リクエストは、前記端末にアップリンク送信リソースを割り当てるようネットワークノードに要求するのに利用される、受信モジュールと、
前記アップリンクデータ送信リクエストに従って前記端末に第１のサブフレームのアップリンク送信リソースを割り当てるよう構成される割り当てモジュールであって、前記第１のサブフレームはアップリンクサブフレーム又はダウンリンクサブフレームである、割り当てモジュールと、
前記端末にスケジューリング制御情報を送信するよう構成される送信モジュールであって、前記スケジューリング制御情報は、前記第１のサブフレームの前記アップリンク送信リソース上でデータを送信するよう前記端末に指示するのに利用される、送信モジュールと、
前記第１のサブフレームがダウンリンクサブフレームである場合、前記第１のサブフレームにおいてデータを送信することを中止するよう前記送信モジュールを制御し、前記第１のサブフレームの前記アップリンク送信リソース上で前記端末によって送信されたデータを受信するよう前記受信モジュールを制御するよう構成される処理モジュールと、
を有するデータ送信装置。
【請求項１０】
前記第１のサブフレームがダウンリンクサブフレームである場合、前記送信モジュールは更に、近傍セルにおけるネットワークノードに第１の制御情報を送信するよう構成され、前記第１の制御情報は、前記第１のサブフレームにおいてデータを送信することを中止するよう前記近傍セルにおける前記ネットワークノードに指示するのに利用される、請求項９記載の装置。
【請求項１１】
前記第１のサブフレームがダウンリンクサブフレームであって、当該データ送信装置が配置されるセルがマクロセルによってカバーされる場合、前記送信モジュールは更に、前記マクロセルにおけるネットワークノードに第２の制御情報を送信するよう構成され、前記第２の制御情報は、前記第１のサブフレームにおいてデータを送信することを中止するよう前記マクロセルにおける前記ネットワークノードに指示するのに利用される、請求項９又は１０記載の装置。
【請求項１２】
前記送信モジュールは、具体的には、第２のサブフレームにおいて前記端末に前記スケジューリング制御情報を送信するよう構成され、前記第２のサブフレームは前記第１のサブフレームの前のサブフレームである、請求項９乃至１１何れか一項記載の装置。
【請求項１３】
前記受信モジュールは、具体的には、第３のサブフレームにおいて前記端末によって送信された前記アップリンクデータ送信リクエストを受信するよう構成され、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、請求項１２記載の装置。
【請求項１４】
データ送信装置であって、
ネットワークノードにアップリンクデータ送信リクエストを送信するよう構成される送信モジュールであって、前記アップリンクデータ送信リクエストは、端末にアップリンク送信リソースを割り当てるよう前記ネットワークノードに要求するのに利用される、送信モジュールと、
前記ネットワークノードによって送信されたスケジューリング制御情報を受信するよう構成される受信モジュールと、
前記送信モジュールは更に、前記スケジューリング制御情報に基づき第１のサブフレームのアップリンク送信リソース上でデータを送信するよう構成され、前記第１のサブフレームはアップリンクサブフレーム又はダウンリンクサブフレームであり、
前記第１のサブフレームがダウンリンクサブフレームである場合、前記第１のサブフレームにおいてデータを受信することを中止するよう前記受信モジュールを制御するよう構成される処理モジュールと、
を有するデータ送信装置。
【請求項１５】
前記受信モジュールは、具体的には、第２のサブフレームにおいて前記ネットワークノードによって送信された前記スケジューリング制御情報を受信するよう構成され、前記第２のサブフレームは前記第１のサブフレームの前のサブフレームである、請求項１４記載の装置。
【請求項１６】
前記送信モジュールが、ネットワークノードにアップリンクデータ送信リクエストを送信することは、具体的には、
前記送信モジュールが、第３のサブフレームにおいて前記ネットワークノードに前記アップリンクデータ送信リクエストを送信することであって、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、送信することを有する、請求項１５記載の装置。
【発明の詳細な説明】
【技術分野】
【０００１】
本発明の実施例は、通信技術に関し、特にデータ送信方法及び装置に関する。
【背景技術】
【０００２】
時分割複信（Ｔｉｍｅ  Ｄｉｖｉｄｅｄ  Ｄｕｐｌｅｘ、略してＴＤＤ）は、移動通信システムにおいて利用される全二重通信技術の１つである。ＴＤＤモードでは、アップリンクデータ及びダウンリンクデータは、同じキャリア上で異なるタイムスロットにおいて送信される。すなわち、アップリンクデータ及びダウンリンクデータは異なる時間に送信される。
【０００３】
ＴＤＤモードのフレーム構造は、アップリンクサブフレーム及びダウンリンクサブフレームを含む。アップリンクサブフレームはアップリンクデータを送信するのに利用され、ダウンリンクサブフレームはダウンリンクデータを送信するのに利用される。図１は、従来技術におけるアップリンクデータ送信の概略図である。図では、ＵＬはアップリンクサブフレームを表し、ＤＬはダウンリンクサブフレームを表す。図１に示されるように、アップリンクデータが到来する時点におけるサブフレームがダウンリンクサブフレーム（ＤＬ）であるとき、アップリンクデータは送信できず、次のアップリンクサブフレーム（ＵＬ）が到来するときにのみ送信可能である。
【０００４】
既存のネットワークのアプリケーションでは、ダウンリンクサービスのデータ量はアップリンクサービスのデータ量より通常は大きい。従って、相対的に少量のアップリンクサブフレームがある。いくつかの低遅延サービスについて、アップリンクデータ送信の待機時間はかなり長く、低遅延サービスのクオリティ・オブ・サービス（Ｑｕａｌｉｔｙ  ｏｆ  Ｓｅｒｖｉｃｅ、略してＱｏｓ）の満足に大きく影響を与える。
【発明の概要】
【０００５】
本発明の実施例は、アップリンクデータに対するダウンリンクデータによって引き起こされた干渉を回避し、低遅延サービスのＱｏＳ満足を保証するため、データ送信方法及び装置を提供する。
【０００６】
第１の態様によると、本発明の実施例は、データ送信方法であって、ネットワークノードが、端末にアップリンク送信リソースを割り当てるようネットワークノードに要求するため、端末によって送信されたアップリンクデータ送信リクエストを受信するステップと、端末に第１のサブフレームのアップリンク送信リソースを割り当てるステップであって、第１のサブフレームはアップリンクサブフレーム又はダウンリンクサブフレームである、割り当てるステップと、端末に第１のサブフレームのアップリンク送信リソース上でデータを送信するよう端末に指示するのに利用されるスケジューリング制御情報を送信するステップと、第１のサブフレームがダウンリンクサブフレームである場合、ネットワークノードが、第１のサブフレームにおいてデータを送信することを中止し、第１のサブフレームのアップリンク送信リソース上で端末によって送信されたデータを受信するステップとを有するデータ送信方法を提供する。本実施例における方法によると、ダウンリンクサブフレームの送信リソースは、アップリンクデータを送信するため予め取得されてもよく、これによって、アップリンクデータを送信するための待機時間を減少させる。さらに、ネットワークノードは、ダウンリンクサブフレームにおいてデータを送信することを中止し、これによって、アップリンクデータに対してダウンリンクデータによって引き起こされる干渉を回避し、低遅延サービスのＱｏＳ満足を保証する。
【０００７】
可能な設計では、第１のサブフレームがダウンリンクサブフレームである場合、当該方法は更に、ネットワークノードが、近傍セルにおけるネットワークノードに第１のサブフレームにおいてデータを送信することを中止するよう近傍セルにおけるネットワークノードに指示するのに利用される第１の制御情報を送信するステップを有し、これにより、近傍セルにおけるネットワークノードは、第１のサブフレームにおいてデータを送信することを中止する。これは、近傍セルにおけるネットワークノードによって送信されるダウンリンクデータがアップリンクデータに対する干渉を引き起こすことを回避し、データ送信品質を保証する。
【０００８】
可能な設計では、第１のサブフレームがダウンリンクサブフレームであって、ネットワークノードが配置されるセルがマクロセルによってカバーされる場合、当該方法は更に、ネットワークノードが、マクロセルにおけるネットワークノードに第１のサブフレームにおいてデータを送信することを中止するようマクロセルにおけるネットワークノードに指示するのに利用される第２の制御情報を送信するステップを有し、これにより、マクロセルにおけるネットワークノードは、第１のサブフレームにおいてデータを送信することを中止する。これは、マクロセルにおけるネットワークノードによって送信されるダウンリンクデータがアップリンクデータ送信に影響を与え、データ送信品質を保証することを回避する。
【０００９】
可能な設計では、ネットワークノードが、端末にスケジューリング制御情報を送信するステップは、ネットワークノードが、第２のサブフレームにおいて端末にスケジューリング制御情報を送信するステップであって、第２のサブフレームは第１のサブフレームの前のサブフレームである、送信するステップを有する。
【００１０】
可能な設計では、ネットワークノードが、端末によって送信されたアップリンクデータ送信リクエストを受信するステップは、ネットワークノードが、第３のサブフレームにおいて端末によって送信されたアップリンクデータ送信リクエストを受信するステップであって、第３のサブフレームは第２のサブフレームの前のサブフレームであり、第３のサブフレームと第１のサブフレームとの間のサブフレーム間のスペースはｋであり、ｋは１より大きい正の整数である、受信するステップを有する。
【００１１】
第２の態様によると、本発明の実施例は、データ送信方法であって、端末が、ネットワークノードに端末にアップリンク送信リソースを割り当てるようネットワークノードに要求するのに利用されるアップリンクデータ送信リクエストを送信するステップと、ネットワークノードによって送信されたスケジューリング制御情報を受信するステップと、スケジューリング制御情報に基づき第１のサブフレームのアップリンク送信リソース上でデータを送信するステップと、第１のサブフレームがダウンリンクサブフレームである場合、端末が、第１のサブフレームにおいてデータを受信することを中止するステップとを有するデータ送信方法を提供する。本実施例における方法によると、第１のサブフレームがアップリンクサブフレーム又はダウンリンクサブフレームであるかにかかわらず、端末は、第１のサブフレームのアップリンク送信リソース上でデータを送信可能である。これは、アップリンクデータを送信するための待機時間を減少させ、低遅延サービスのＱｏＳを保証する。
【００１２】
可能な設計では、端末が、ネットワークノードによって送信されたスケジューリング制御情報を受信するステップは、端末が、第２のサブフレームにおいてネットワークノードによって送信されたスケジューリング制御情報を受信するステップであって、第２のサブフレームは第１のサブフレームの前のサブフレームである、受信するステップを有する。
【００１３】
可能な設計では、端末が、ネットワークノードにアップリンクデータ送信リクエストを送信するステップは、端末が、第２のサブフレームにおいてネットワークノードにアップリンクデータ送信リクエストを送信するステップであって、第２のサブフレームは第１のサブフレームの前のサブフレームであり、第２のサブフレームと第１のサブフレームとの間のサブフレーム間のスペースはｋであり、正の整数である、送信するステップを有する。
【００１４】
第３の態様によると、本発明の実施例は、データ送信装置であって、端末によって送信されたアップリンクデータ送信リクエストを受信するよう構成される受信モジュールであって、アップリンクデータ送信リクエストは、端末にアップリンク送信リソースを割り当てるようネットワークノードに要求するのに利用される、受信モジュールと、アップリンクデータ送信リクエストに従って端末に第１のサブフレームのアップリンク送信リソースを割り当てるよう構成される割り当てモジュールであって、第１のサブフレームはアップリンクサブフレーム又はダウンリンクサブフレームである、割り当てモジュールと、端末にスケジューリング制御情報を送信するよう構成される送信モジュールであって、スケジューリング制御情報は、第１のサブフレームのアップリンク送信リソース上でデータを送信するよう端末に指示するのに利用される、送信モジュールと、第１のサブフレームがダウンリンクサブフレームである場合、第１のサブフレームにおいてデータを送信することを中止するよう送信モジュールを制御し、第１のサブフレームのアップリンク送信リソース上で端末によって送信されたデータを受信するよう受信モジュールを制御するよう構成される処理モジュールとを有するデータ送信装置を提供する。
【００１５】
可能な設計では、第１のサブフレームがダウンリンクサブフレームである場合、送信モジュールは更に、近傍セルにおけるネットワークノードに第１の制御情報を送信するよう構成され、第１の制御情報は、第１のサブフレームにおいてデータを送信することを中止するよう近傍セルにおけるネットワークノードに指示するのに利用される。
【００１６】
可能な設計では、第１のサブフレームがダウンリンクサブフレームであって、データ送信装置が配置されるセルがマクロセルによってカバーされる場合、送信モジュールは更に、マクロセルにおけるネットワークノードに第２の制御情報を送信するよう構成され、第２の制御情報は、第１のサブフレームにおいてデータを送信することを中止するようマクロセルにおけるネットワークノードに指示するのに利用される。
【００１７】
可能な設計では、送信モジュールは、具体的には、第２のサブフレームにおいて端末にスケジューリング制御情報を送信するよう構成され、第２のサブフレームは第１のサブフレームの前のサブフレームである。
【００１８】
可能な設計では、受信モジュールは、具体的には、第３のサブフレームにおいて端末によって送信されたアップリンクデータ送信リクエストを受信するよう構成され、第３のサブフレームは第２のサブフレームの前のサブフレームであり、第３のサブフレームと第１のサブフレームとの間のサブフレーム間のスペースはｋであり、ｋは１より大きい正の整数である。
【００１９】
上記の第３の態様及び上記の第３の態様の全ての可能な設計方式において提供される装置の有益な効果について、上記の第１の態様及び上記の第１の態様の全ての可能な設計方式において提供される方法によってもたらされる有益な効果を参照されたい。詳細はここでは再説明されない。
【００２０】
第４の態様によると、本発明の実施例は、データ送信装置であって、ネットワークノードにアップリンクデータ送信リクエストを送信するよう構成される送信モジュールであって、アップリンクデータ送信リクエストは、端末にアップリンク送信リソースを割り当てるようネットワークノードに要求するのに利用される、送信モジュールと、ネットワークノードによって送信されたスケジューリング制御情報を受信するよう構成される受信モジュールと、送信モジュールは更に、スケジューリング制御情報に基づき第１のサブフレームのアップリンク送信リソース上でデータを送信するよう構成され、第１のサブフレームはアップリンクサブフレーム又はダウンリンクサブフレームであり、第１のサブフレームがダウンリンクサブフレームである場合、第１のサブフレームにおいてデータを受信することを中止するよう受信モジュールを制御するよう構成される処理モジュールとを有するデータ送信装置を提供する。
【００２１】
可能な設計では、受信モジュールは、具体的には、第２のサブフレームにおいてネットワークノードによって送信されたスケジューリング制御情報を受信するよう構成され、第２のサブフレームは第１のサブフレームの前のサブフレームである。
【００２２】
可能な設計では、送信モジュールが、ネットワークノードにアップリンクデータ送信リクエストを送信することは、具体的には、送信モジュールが、第３のサブフレームにおいてネットワークノードにアップリンクデータ送信リクエストを送信することを含み、第３のサブフレームは第２のサブフレームの前のサブフレームであり、第３のサブフレームと第１のサブフレームとの間のサブフレーム間のスペースはｋであり、ｋは１より大きい正の整数である。
【００２３】
上記の第４の態様及び上記の第４の態様の全ての可能な設計方式において提供される装置の有益な効果について、上記第２の態様及び上記の第２の態様の全ての可能な設計方式において提供される方法によってもたらされる有益な効果を参照されたい。詳細はここでは再説明されない。
【図面の簡単な説明】
【００２４】
本発明の実施例又は従来技術における技術的解決策をより明確に説明するため、以下は、実施例又は従来技術を説明するのに必要とされる添付図面を簡単に説明する。
【図１】従来技術によるアップリンクデータ送信の概略図である。
【図２】本発明の実施例によるデータ送信方法の適用シナリオの概略図である。
【図３】本発明の実施例１によるデータ送信方法のフローチャートである。
【図４】本発明の実施例２によるデータ送信方法のフローチャートである。
【図５】本発明の実施例３によるデータ送信方法のフローチャートである。
【図６】本発明の実施例４によるデータ送信装置の概略的な構成図である。
【図７】本発明の実施例５によるデータ送信装置の概略的な構成図である。
【図８】本発明の実施例６によるネットワークノードの概略的な構成図である。
【図９】本発明の実施例７による端末の概略的な構成図である。
【発明を実施するための形態】
【００２５】
図２は、本発明の実施例によるデータ送信方法の適用シナリオの概略図である。シナリオは、ネットワークノード１、ネットワークノード２、ネットワークノード３、端末４及び端末５を含む。ネットワークノードの主要な機能は、無線インタフェースリソースをスケジューリング及び割当て、指定された無線インタフェースリソース上で端末に制御メッセージ及びデータを送信することである。制御メッセージは、各端末のユーザに割り当てられる無線インタフェースリソースに関する情報を含む。端末の主要な機能は、ネットワークノードによって送信された制御メッセージに基づきデータを受信及び送信し、ネットワークノードにいくつかの制御メッセージをフィードバックすることである。例えば、端末は、ＨＡＲＱ、ＡＣＫ／ＮＡＣＫ、ＣＱＩ及びＳＲＳなどのメッセージをネットワークノードにフィードバックする。ネットワークノードと端末との間のインタフェースは無線インタフェースであり、端末間のインタフェースもまた無線インタフェースである。ネットワークノードは、Ｘ２インタフェース又は無線インタフェースを利用することによって互いに通信しうる。
【００２６】
さらに、本発明の本実施例によるデータ送信方法は、低遅延サービスのためのアップリンクデータを送信するための待機時間がかなり長く、低遅延サービスのＱｏＳ満足が大きく影響を受けるという従来技術の技術的問題を解決するため、例えば、超信頼／低遅延マシーンタイプ通信（Ｕｌｔｒａ−ｒｅｌｉａｂｌｅ  ａｎｄ  ｌｏｗ  ｌａｔｅｎｃｙ  Ｍａｃｈｉｎｅ  Ｔｙｐｅ  Ｃｏｍｍｕｎｉｃａｔｉｏｎｓ、略してｕＭＴＣ）サービスなどの低遅延高信頼サービスに主として適用される。
【００２７】
図３は、本発明の実施例１によるデータ送信方法のフローチャートである。図３に示されるように、当該方法は以下のステップを含む。
【００２８】
ステップ１０１：ネットワークノードは、端末によって送信されたアップリンクデータ送信リクエストを受信し、アップリンクデータ送信リクエストはアップリンク送信リソースを端末に割り当てるようネットワークノードに要求するのに利用される。
【００２９】
本実施例では、端末は、携帯電話、コンピュータ、タブレットコンピュータ又はスマートウォッチなどの端末デバイスであってもよい。端末がアップリンクデータを送信する必要があるとき、端末は、ネットワークノードにアップリンクデータ送信リクエストを送信する。ネットワークノードは、アップリンクデータ送信リクエストに従って端末にアップリンク送信リソースを割り当てる。
【００３０】
ステップ１０２：ネットワークノードは、アップリンクデータ送信リクエストに従って端末に第１のサブフレームのアップリンク送信リソースを割り当て、ここで、第１のサブフレームはアップリンクサブフレーム又はダウンリンクサブフレームである。
【００３１】
本実施例では、第１のサブフレームがアップリンクサブフレーム又はダウンリンクサブフレームであるかにかかわらず、ネットワークノードは、端末に第１のサブフレームのアップリンク送信リソースを割り当てる。ネットワークノード及び端末は、初期化の確立中にサブフレーム間スペースがＮであることに合意してもよい。例えば、Ｎ＝４であるとき、アップリンクデータ送信リクエストを受信した後、ネットワークノードは、アップリンクデータ送信リクエストが受信されるサブフレームの後である第４のサブフレームにおいて端末にアップリンク送信リソースを割り当てる。あるいは、ネットワークノードは、アップリンクデータ送信リクエストが受信されるサブフレームに最も近いアイドルサブフレームにおいて端末にアップリンク送信リソースを割り当ててもよい。あるいは、端末は、アップリンクデータ送信リクエストが受信されるサブフレームの後のＮ番目のサブフレームにおいて端末にアップリンク送信リソースを割り当てるようネットワークノードに要求するため、アップリンクデータ送信リクエストにおいてサブフレーム間スペースＮを搬送してもよい。
【００３２】
ステップ１０３：ネットワークノードは、端末にスケジューリング制御情報を送信し、ここで、スケジューリング制御情報は、第１のサブフレームのアップリンク送信リソース上でデータを送信するよう端末に指示するのに利用される。
【００３３】
本実施例では、スケジューリング制御情報は、例えば、リソースブロック（Ｒｅｓｏｕｒｃｅ  Ｂｌｏｃｋ、略してＲＢ）の数、変調方式又はトランスポートブロックサイズ（Ｔｒａｎｓｐｏｒｔ  Ｂｌｏｃｋ  Ｓｉｚｅ、略してＴＢＳ）などのアップリンク送信リソースの属性情報を含んでもよい。スケジューリング制御情報を受信した後、端末は、スケジューリング制御情報のコンテンツに基づき、第１のサブフレームのアップリンク送信リソース上でデータを送信する。
【００３４】
ステップ１０４：第１のサブフレームがダウンリンクサブフレームである場合、ネットワークノードは、第１のサブフレームにおいてデータを送信することを中止し、第１のサブフレームのアップリンク送信リソース上で端末によって送信されたデータを受信する。
【００３５】
本実施例では、第１のサブフレームがダウンリンクサブフレームである場合、ネットワークノードは、アップリンクデータに対してダウンリンクデータによって引き起こされる干渉を回避するため、第１のサブフレームにおいてデータを送信することを中止する必要があり、これにより、ネットワークノードは第１のサブフレームにおいて正しいアップリンクデータを受信できる。
【００３６】
本実施例において提供されるデータ送信方法によると、ネットワークノードは、端末にアップリンク送信リソースを割り当てるようネットワークノードに要求するため、端末によって送信されたアップリンクデータ送信リクエストを受信し、アップリンクデータ送信リクエストに従って端末に第１のサブフレームのアップリンク送信リソースを割当て、端末にスケジューリング制御情報を送信し、これにより、端末は、第１のサブフレームのアップリンク送信リソース上でデータを送信する。第１のサブフレームがダウンリンクサブフレームである場合、ネットワークノードは、第１のサブフレームにおいてデータを送信することを中止し、第１のサブフレームのアップリンク送信リソース上で端末によって送信されたデータを受信する。アップリンクデータが送信されるとき、ダウンリンクサブフレームの送信リソースが予め取得され、これにより、アップリンクデータを送信するための待機時間を減少させる。さらに、ネットワークノードは、ダウンリンクサブフレームにおいてデータを送信することを中止し、これにより、アップリンクデータに対してダウンリンクデータによって引き起こされる干渉を回避し、低遅延サービスのＱｏＳ満足を保証する。
【００３７】
図４は、本発明の実施例２によるデータ送信方法のフローチャートである。本実施例では、具体的処理が説明される。第１のサブフレームがダウンリンクサブフレームである場合、ネットワークノードは更に、近傍セルにおけるネットワークノード又はマクロセルにおけるネットワークノードに制御情報を送信し、これにより、近傍セルにおけるネットワークノード又はマクロセルにおけるネットワークノードは、第１のサブフレームにおいてダウンリンクデータを送信することを中止する。図４に示されるように、当該方法は以下のステップを含む。
【００３８】
ステップ２０１：ネットワークノードは、第３のサブフレームにおいて端末によって送信されたアップリンクデータ送信リクエストを受信し、ここで、第３のサブフレームは第２のサブフレームの前のサブフレームであり、第３のサブフレームと第１のサブフレームとの間のサブフレーム間のスペースはｋであり、ｋは１より大きい正の整数である。
【００３９】
本実施例では、第２のサブフレームはスケジューリング制御情報が送信されるサブフレームである。第３のサブフレームがｎと番号付けされた場合、第１のサブフレームは（ｎ＋ｋ）と番号付けされる。ネットワークノードがサブフレームｎにおいて端末によって送信されたアップリンクデータ送信リクエストを受信した場合、ネットワークノードは、サブフレーム（ｎ＋ｋ）のアップリンク送信リソースを端末に割り当てる。
【００４０】
ステップ２０２：ネットワークノードは、アップリンクデータ送信リクエストに従って端末に第１のサブフレームのアップリンク送信リソースを割り当て、ここで、第１のサブフレームはアップリンクサブフレーム又はダウンリンクサブフレームである。
【００４１】
ステップ２０３：ネットワークノードは、第２のサブフレームにおいて端末にスケジューリング制御情報を送信し、ここで、第２のサブフレームは第１のサブフレームの前のサブフレームである。
【００４２】
本実施例では、第２のサブフレームは第３のサブフレームと第１のサブフレームとの間のサブフレームである。例えば、第１のサブフレームがサブフレーム４であって、第３のサブフレームがサブフレーム１である場合、第２のサブフレームはサブフレーム２又はサブフレーム３であってもよい。
【００４３】
ステップ２０４：第１のサブフレームがダウンリンクサブフレームである場合、ネットワークノードは、近傍セルにおけるネットワークノードに第１の制御情報を送信し、ここで、第１の制御情報は、第１のサブフレームにおいてデータを送信することを中止するよう近傍セルにおけるネットワークノードに指示するのに利用される。
【００４４】
本実施例では、ネットワークノードがダウンリンクサブフレームにおいてデータを送信するとき、送信信号はかなり強力であり、アップリンク受信に対して大きな干渉を引き起こす。従って、端末によって送信されるデータは正しく受信できない。近傍セルにおけるネットワークノードによって送信されたダウンリンクデータがアップリンクデータと干渉することを回避するため、第１のサブフレームがダウンリンクサブフレームである場合、ネットワークノードは、近傍セルにおけるネットワークノードに第１の制御情報を送信し、これにより、近傍セルにおけるネットワークノードは、第１のサブフレームにおいてデータを送信することを中止する。
【００４５】
任意的には、第１のサブフレームがダウンリンクサブフレームであって、ネットワークノードが配置されるセルがマクロセルによってカバーされる場合、当該方法は更にステップ２０５を含んでもよい。
【００４６】
ステップ２０５：第１のサブフレームがダウンリンクサブフレームであって、ネットワークノードが配置されるセルがマクロセルによってカバーされる場合、ネットワークノードは、マクロセルにおけるネットワークノードに第２の制御情報を送信し、ここで、第２の制御情報は、第１のサブフレームにおいてデータを送信することを中止するようマクロセルにおけるネットワークノードに指示するのに利用される。
【００４７】
本実施例は、ヘテロジーニアスネットワーク（Ｈｅｔｅｒｏｇｅｎｅｏｕｓ  Ｎｅｔｗｏｒｋ、略してＨｅｔＮｅｔ）に主として適用される。マクロセルは、複数のマイクロセルをカバーする。すなわち、複数のマイクロ基地局は、マクロ基地局のカバレッジエリアに配置される。各マイクロ基地局は、特定エリア内のユーザにサービスを提供する。マクロ基地局のカバレッジは、マイクロ基地局のカバレッジと重複する。本実施例におけるネットワークノードが配置されるセルがマイクロセルであって、マクロセルによってカバーされる場合、ネットワークノードは更に、マイクロセルにおけるネットワークノードに第２の制御情報を送信する必要があり、これにより、マクロセルにおけるネットワークノードは第１のサブフレームにおいてデータを送信することを中止する。
【００４８】
ステップ２０３、ステップ２０４及びステップ２０５に対して具体的な時間シーケンスの制限はないことが留意されるべきである。
【００４９】
ステップ２０６：第１のサブフレームがダウンリンクサブフレームである場合、ネットワークノードは、第１のサブフレームにおいてデータを送信することを中止し、第１のサブフレームのアップリンク送信リソース上で端末によって送信されたデータを受信する。
【００５０】
本実施例において提供されるデータ送信方法によると、ネットワークノードは、第３のサブフレームにおいて端末によって送信されたアップリンクデータ送信リクエストを受信し、アップリンクデータ送信リクエストに従って端末に第１のサブフレームのアップリンク送信リソースを割り当て、第１のサブフレームの前にある第２のサブフレームにおいて端末にスケジューリング制御情報を送信する。第１のサブフレームがダウンリンクサブフレームである場合、ネットワークノードは更に、近傍セルにおけるネットワークノードに第１の制御情報を送信してもよく、これにより、近傍セルにおけるネットワークノードは、第１のサブフレームにおいてデータを送信することを中止する。第１のサブフレームがダウンリンクサブフレームであって、ネットワークノードが配置されるセルがマクロセルによってカバーされる場合、ネットワークノードは更に、マクロセルにおけるネットワークノードに第２の制御情報を送信してもよく、これにより、マクロセルにおけるネットワークノードは、第１のサブフレームにおいてデータを送信することを中止する。これは、近傍セルにおけるネットワークノード又はマクロセルにおけるネットワークノードによって送信されたダウンリンクデータがアップリンクデータと干渉することを回避し、ダウンリンクサブフレームにおいてアップリンクデータを送信する際の信頼性を保証し、低遅延サービスのＱｏＳを向上させる。
【００５１】
図５は、本発明の実施例３によるデータ送信方法のフローチャートである。本実施例における具体的処理では、端末は、アップリンク送信リソースを割り当てるようネットワークノードに要求し、ネットワークノードによって送信されたスケジューリング制御情報に基づき第１のサブフレームのアップリンク送信リソース上でアップリンクデータを送信する。図５に示されるように、当該方法は以下のステップを含む。
【００５２】
ステップ３０１：端末は、ネットワークノードにアップリンクデータ送信リクエストを送信し、アップリンクデータ送信リクエストは、端末にアップリンク送信リソースを割り当てるようネットワークノードに要求するのに利用される。
【００５３】
本実施例では、端末は、携帯電話、コンピュータ、タブレットコンピュータ又はスマートウォッチなどの端末デバイスであってもよい。端末がアップリンクデータを送信する必要があるとき、端末は、ネットワークノードにアップリンクデータ送信リクエストを送信する。ネットワークノードは、アップリンクデータ送信リクエストに従って端末にアップリンク送信リソースを割り当てる。
【００５４】
ステップ３０２：端末は、ネットワークノードによって送信されたスケジューリング制御情報を受信する。スケジューリング制御情報は、第１のサブフレームのアップリンク送信リソース上でデータを送信するよう端末に指示するのに利用される。
【００５５】
本実施例では、スケジューリング制御情報は、例えば、リソースブロック（Ｒｅｓｏｕｒｃｅ  Ｂｌｏｃｋ、略してＲＢ）の数、変調方式又はトランスポートブロックサイズ（Ｔｒａｎｓｐｏｒｔ  Ｂｌｏｃｋ  Ｓｉｚｅ、略してＴＢＳ）などのアップリンク送信リソースの属性情報を含んでもよい。スケジューリング制御情報を受信した後、端末は、スケジューリング制御情報のコンテンツに基づき、第１のサブフレームのアップリンク送信リソース上でデータを送信する。
【００５６】
ステップ３０３：端末は、スケジューリング制御情報に基づき第１のサブフレームのアップリンク送信リソース上でデータを送信し、ここで、第１のサブフレームはアップリンクサブフレーム又はダウンリンクサブフレームである。
【００５７】
本実施例では、第１のサブフレームがアップリンクサブフレーム又はダウンリンクサブフレームであるかにかかわらず、端末は、第１のサブフレームのアップリンク送信リソース上でデータを送信可能であり、これにより、アップリンクデータを送信するための待機時間を減少させる。
【００５８】
ステップ３０４：第１のサブフレームがダウンリンクサブフレームである場合、端末は、第１のサブフレームにおいてデータを受信することを中止する。
【００５９】
本実施例では、アップリンクデータに対してダウンリンクデータによって引き起こされる干渉を減少させるため、第１のサブフレームがダウンリンクサブフレームである場合、端末は、第１のサブフレームにおいてデータを受信することを中止する。
【００６０】
本実施例において提供されるデータ送信方法によると、端末は、ネットワークノードにアップリンクデータ送信リクエストを送信し、これにより、ネットワークノードは端末にアップリンク送信リソースを割り当て、ネットワークノードによって送信されたスケジューリング制御情報を受信し、スケジューリング制御情報に基づき第１のサブフレームのアップリンク送信リソース上でデータを送信する。第１のサブフレームがダウンリンクサブフレームである場合、端末は、第１のサブフレームにおいてデータを受信することを中止する。第１のサブフレームがアップリンクサブフレーム又はダウンリンクサブフレームであるかにかかわらず、端末は、第１のサブフレームのアップリンク送信リソース上でデータを送信できる。これは、アップリンクデータを送信するための待機時間を減少させ、低遅延サービスのＱｏＳを保証する。
【００６１】
任意的には、端末が、ネットワークノードによって送信されたスケジューリング制御情報を受信するステップは、端末が、第２のサブフレームにおいてネットワークノードによって送信されたスケジューリング制御情報を受信するステップを含み、ここで、第２のサブフレームは第１のサブフレームの前のサブフレームである。
【００６２】
任意的には、端末が、ネットワークノードにアップリンクデータ送信リクエストを送信するステップは、端末が、第３のサブフレームにおいてネットワークノードにアップリンクデータ送信リクエストを送信するステップを含み、ここで、第３のサブフレームは第２のサブフレームの前のサブフレームであり、第３のサブフレームと第１のサブフレームとの間のサブフレーム間のスペースはｋであり、ｋは１より大きい正の整数である。
【００６３】
本実施例では、第３のサブフレームがｎと番号付けされた場合、第１のサブフレームはｎ＋ｋと番号付けされる。第２のサブフレームは、サブフレームｎとサブフレーム（ｎ＋ｋ）との間のサブフレームである。ネットワークノードがサブフレームｎにおいて端末によって送信されたアップリンクデータ送信リクエストを受信した場合、ネットワークノードは、サブフレーム（ｎ＋ｋ）において端末にアップリンク送信リソースを割り当てる。サブフレーム（ｎ＋ｋ）がアップリンクサブフレーム又はダウンリンクサブフレームであるかにかかわらず、ネットワークノードは、サブフレーム（ｎ＋ｋ）において端末にアップリンク送信リソースを割り当てる。これは、アップリンクデータを送信するための待機時間を減少させ、低遅延サービスのＱｏＳを保証する。
【００６４】
図６は、本発明の実施例４によるデータ送信装置の概略的な構成図である。図６に示されるように、当該装置は、受信モジュール１１、割り当てモジュール１２、送信モジュール１３及び処理モジュール１４を含む。受信モジュール１１は、端末によって送信されたアップリンクデータ送信リクエストを受信するよう構成され、ここで、アップリンクデータ送信リクエストは、端末にアップリンク送信リソースを割り当てるようネットワークノードに要求するのに利用される。割り当てモジュール１２は、アップリンクデータ送信リクエストに従って端末に第１のサブフレームのアップリンク送信リソースを割り当てるよう構成され、ここで、第１のサブフレームはアップリンクサブフレーム又はダウンリンクサブフレームである。送信モジュール１３は、端末にスケジューリング制御情報を送信するよう構成され、ここで、スケジューリング制御情報は、第１のサブフレームのアップリンク送信リソース上でデータを送信するよう端末に指示するのに利用される。処理モジュール１４は、第１のサブフレームがダウンリンクサブフレームである場合、第１のサブフレームにおいてデータを送信することを中止するよう送信モジュール１３を制御し、第１のサブフレームのアップリンク送信リソース上で端末によって送信されたデータを受信するよう受信モジュール１１を制御するよう構成される。
【００６５】
本実施例による装置は、図３に示される方法の実施例の技術的解決策を実行するよう構成されてもよく、それの実現原理及び技術的効果は、方法の実施例におけるものと同様であり、詳細はここでは再説明されない。
【００６６】
任意的には、第１のサブフレームがダウンリンクサブフレームである場合、送信モジュール１３は更に、近傍セルにおけるネットワークノードに第１の制御情報を送信するよう構成され、ここで、第１の制御情報は、第１のサブフレームにおいてデータを送信することを中止するよう近傍セルにおけるネットワークノードに指示するのに利用される。
【００６７】
任意的には、第１のサブフレームがダウンリンクサブフレームであって、当該データ送信装置が配置されるセルがマクロセルによってカバーされる場合、送信モジュール１３は更に、マクロセルにおけるネットワークノードに第２の制御情報を送信するよう構成され、ここで、第２の制御情報は、第１のサブフレームにおいてデータを送信することを中止するようマクロセルにおけるネットワークノードに指示するのに利用される。
【００６８】
任意的には、送信モジュール１３は、具体的には、第２のサブフレームにおいて端末にスケジューリング制御情報を送信するよう構成され、ここで、第２のサブフレームは第１のサブフレームの前のサブフレームである。
【００６９】
任意的には、受信モジュール１１は、具体的には、第３のサブフレームにおいて端末によって送信されたアップリンクデータ送信リクエストを受信するよう構成され、ここで、第３のサブフレームは第２のサブフレームの前のサブフレームであり、第３のサブフレームと第１のサブフレームとの間のサブフレーム間のスペースはｋであり、ｋは１より大きい正の整数である。
【００７０】
本実施例による装置は、図４に示される方法の実施例の技術的解決策を実行するよう構成されてもよく、それの実現原理及び技術的効果は、方法の実施例におけるものと同様であり、詳細はここでは再説明されない。
【００７１】
図７は、本発明の実施例５によるデータ送信装置の概略的な構成図である。図７に示されるように、当該装置は、送信モジュール２１、受信モジュール２２及び処理モジュール２３を含む。送信モジュール２１は、ネットワークノードにアップリンクデータ送信リクエストを送信するよう構成され、ここで、アップリンクデータ送信リクエストは、端末にアップリンク送信リソースを割り当てるようネットワークノードに要求するのに利用される。受信モジュール２２は、ネットワークノードによって送信されたスケジューリング制御情報を受信するよう構成される。送信モジュール２１は更に、スケジューリング制御情報に基づき第１のサブフレームのアップリンク送信リソース上でデータを送信するよう構成され、ここで、第１のサブフレームはアップリンクサブフレーム又はダウンリンクサブフレームである。処理モジュール２３は更に、第１のサブフレームがダウンリンクサブフレームである場合、第１のサブフレームにおいてデータを受信することを中止するよう受信モジュールを制御するよう構成される。
【００７２】
本実施例による装置は、図５に示される方法の実施例の技術的解決策を実行するよう構成されてもよく、それの実現原理及び技術的効果は、方法の実施例におけるものと同様であり、詳細はここでは再説明されない。
【００７３】
任意的には、受信モジュール２２は、具体的には、第２のサブフレームにおいてネットワークノードによって送信されたスケジューリング制御情報を受信するよう構成され、ここで、第２のサブフレームは第１のサブフレームの前のサブフレームである。
【００７４】
任意的には、送信モジュール２１が、ネットワークノードにアップリンクデータ送信リクエストを送信することは、具体的には、
送信モジュール２１が、ネットワークノードにアップリンクデータ送信リクエストを送信することは、具体的には、送信モジュール２１が、第３のサブフレームにおいてネットワークノードにアップリンクデータ送信リクエストを送信することを含み、ここで、第３のサブフレームは第２のサブフレームの前のサブフレームであり、第３のサブフレームと第１のサブフレームとの間のサブフレーム間のスペースはｋであり、ｋは１より大きい正の整数である。
【００７５】
図８は、本発明の実施例６によるネットワークノードの概略的な構成図である。図８に示されるように、ネットワークノードは、受信機３１、プロセッサ３２及び送信機３３を含む。受信機３１は、端末によって送信されたアップリンクデータ送信リクエストを受信するよう構成され、ここで、アップリンクデータ送信リクエストは、端末にアップリンク送信リソースを割り当てるようネットワークノードに要求するのに利用される。プロセッサ３２は、アップリンクデータ送信リクエストに従って端末に第１のサブフレームのアップリンク送信リソースを割り当てるよう構成され、ここで、第１のサブフレームはアップリンクサブフレーム又はダウンリンクサブフレームである。送信機３３は、端末にスケジューリング制御情報を送信するよう構成され、ここで、スケジューリング制御情報は、第１のサブフレームのアップリンク送信リソース上でデータを送信するよう端末に指示するのに利用される。第１のサブフレームがダウンリンクサブフレームである場合、プロセッサ３２は、第１のサブフレームにおいてデータを送信することを中止するよう送信機３３を制御し、第１のサブフレームのアップリンク送信リソース上で端末によって送信されたデータを受信するよう受信機３１を制御するよう構成される。
【００７６】
任意的には、第１のサブフレームがダウンリンクサブフレームである場合、送信機３３は更に、近傍セルにおけるネットワークノードに第１の制御情報を送信するよう構成され、ここで、第１の制御情報は、第１のサブフレームにおいてデータを送信することを中止するよう近傍セルにおけるネットワークノードに指示するのに利用される。
【００７７】
任意的には、第１のサブフレームがダウンリンクサブフレームであって、ネットワークノードが配置されるセルがマクロセルによってカバーされる場合、送信機３３は更に、マクロセルにおけるネットワークノードに第２の制御情報を送信するよう構成され、ここで、第２の制御情報は、第１のサブフレームにおいてデータを送信することを中止するようマクロセルにおけるネットワークノードに指示するのに利用される。
【００７８】
任意的には、送信機３３は、具体的には、第２のサブフレームにおいて端末にスケジューリング制御情報を送信するよう構成され、ここで、第２のサブフレームは第１のサブフレームの前のサブフレームである。
【００７９】
任意的には、受信機３１は、具体的には、第３のサブフレームにおいて端末によって送信されたアップリンクデータ送信リクエストを受信するよう構成され、ここで、第３のサブフレームは第２のサブフレームの前のサブフレームであり、第３のサブフレームと第１のサブフレームとの間のサブフレーム間のスペースはｋであり、ｋは１より大きい正の整数である。
【００８０】
プロセッサ３２は、中央処理ユニット（Ｃｅｎｔｒａｌ  Ｐｒｏｃｅｓｓｉｎｇ  Ｕｎｉｔ、略してＣＰＵ）、ネットワークプロセッサ（Ｎｅｔｗｏｒｋ  Ｐｒｏｃｅｓｓｏｒ、略してＮＰ）などを含む汎用プロセッサであってもよく、あるいは、デジタル信号プロセッサ（Ｄｉｇｉｔａｌ  Ｓｉｇｎａｌ  Ｐｒｏｃｅｓｓｏｒ、略してＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、略してＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ、略してＦＰＧＡ）、若しくは他のプログラマブルロジックデバイス、離散ゲート若しくはトランジスタロジックデバイス又は離散ハードウェアコンポーネントであってもよい。
【００８１】
任意的には、ネットワークノードは更に、メモリを含んでもよい。メモリはプロセッサと結合され、オペレーティングシステム、プログラムコード及びデータを格納するよう構成される。メモリは、ランダムアクセスメモリ（ｒａｎｄｏｍ  ａｃｃｅｓｓ  ｍｅｍｏｒｙ、略してＲＡＭ）を含んでもよく、あるいは、例えば、少なくとも１つの磁気ディスクストレージなどの不揮発性メモリ（ｎｏｎ−ｖｏｌａｔｉｌｅ  ｍｅｍｏｒｙ）を含んでもよい。
【００８２】
本実施例によるネットワークノードは、図３又は図４に示される方法の実施例の技術的解決策を実行するよう構成されてもよく、それの実現原理及び技術的効果は、方法の実施例におけるものと同様であり、詳細はここでは再説明されない。
【００８３】
図９は、本発明の実施例７による端末の概略的な構成図である。図９に示されるように、端末は、送信機４１、プロセッサ４２及び受信機４３を含む。送信機４１は、ネットワークノードにアップリンクデータ送信リクエストを送信するよう構成され、ここで、アップリンクデータ送信リクエストは、端末にアップリンク送信リソースを割り当てるようネットワークノードに要求するのに利用される。受信機４３は、ネットワークノードによって送信されたスケジューリング制御情報を受信するよう構成される。送信機４１は更に、スケジューリング制御情報に基づき第１のサブフレームのアップリンク送信リソース上でデータを送信するよう構成され、ここで、第１のサブフレームはアップリンクサブフレーム又はダウンリンクサブフレームである。第１のサブフレームがダウンリンクサブフレームである場合、プロセッサ４２は、第１のサブフレームにおいてデータを受信することを中止するよう受信機４３を制御するよう構成される。
【００８４】
任意的には、受信機４３は、具体的には、第２のサブフレームにおいてネットワークノードによって送信されたスケジューリング制御情報を受信するよう構成され、ここで、第２のサブフレームは第１のサブフレームの前のサブフレームである。
【００８５】
任意的には、送信機４１が、具体的には、第３のサブフレームにおいてネットワークノードにアップリンクデータ送信リクエストを送信するよう構成され、ここで、第３のサブフレームは第２のサブフレームの前のサブフレームであり、第３のサブフレームと第１のサブフレームとの間のサブフレーム間のスペースはｋであり、ｋは１より大きい正の整数である。
【００８６】
プロセッサ４２は、ＣＰＵ、ＮＰなどを含む汎用プロセッサであってもよく、あるいは、ＤＳＰ、ＡＳＩＣ、ＦＰＧＡ若しくは他のプログラマブルロジックデバイス、離散ゲート若しくはトランジスタロジックデバイス若しくは離散ハードウェアコンポーネントであってもよい。
【００８７】
任意的には、端末は更に、メモリを含んでもよい。メモリはプロセッサと結合され、オペレーティングシステム、プログラムコード及びデータを格納するよう構成される。メモリは、ランダムアクセスメモリ（ｒａｎｄｏｍ  ａｃｃｅｓｓ  ｍｅｍｏｒｙ、略してＲＡＭ）を含んでもよく、あるいは、例えば、少なくとも１つの磁気ディスクストレージなどの不揮発性メモリ（ｎｏｎ−ｖｏｌａｔｉｌｅ  ｍｅｍｏｒｙ）を含んでもよい。
【００８８】
本実施例による端末は、図５に示される方法の実施例の技術的解決策を実行するよう構成されてもよく、それの実現原理及び技術的効果は、方法の実施例におけるものと同様であり、詳細はここでは再説明されない。
【００８９】
当業者は、方法の実施例のステップの全て又は一部が関連するハードウェアを維持するプログラムによって実現されうることを理解しうる。プログラムは、コンピュータ可読記憶媒体に格納されてもよい。プログラムが実行されると、方法の実施例のステップが実行される。上記の記憶媒体は、読み出し専用メモリ（Ｒｅａｄ−Ｏｎｌｙ  Ｍｅｍｏｒｙ、略してＲＯＭ）、ランダムアクセスメモリ（ｒａｎｄｏｍ  ａｃｃｅｓｓ  ｍｅｍｏｒｙ、略してＲＡＭ）、磁気ディスク又は光ディスクなどのプログラムコードを格納可能な何れかの媒体を含む。
【００９０】
最後に、上記の実施例は本出願を限定する以外に本出願の技術的解決策を説明することを単に意図していることが留意されるべきである。本出願は上記の実施例を参照して詳細に説明されたが、当業者は、本発明の実施例の技術的解決策の範囲から逸脱することなく、それらが上記の実施例において説明された技術的解決策に対して依然として修正を行ってもよいか、あるいは、その一部又は全ての技術的特徴に対する等価な置換を行ってもよいことを理解すべきである。
【図１】
2019515548.tif 000003
【図２】
2019515548.tif 000004
【図３】
2019515548.tif 000005
【図４】
2019515548.tif 000006
【図５】
2019515548.tif 000007
【図６】
2019515548.tif 000008
【図７】
2019515548.tif 000009
【図８】
2019515548.tif 000010
【図９】
2019515548.tif 000011
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
データ送信方法であって、
ネットワークノードが、端末によって送信されたアップリンクデータ送信リクエストを受信するステップであって、前記アップリンクデータ送信リクエストは、前記端末にアップリンク送信リソースを割り当てるよう前記ネットワークノードに要求するのに利用される、受信するステップと、
前記ネットワークノードが、前記アップリンクデータ送信リクエストに従って前記端末に第１のサブフレームのアップリンク送信リソースを割り当てるステップであって、前記第１のサブフレームはアップリンクサブフレーム又はダウンリンクサブフレームである、割り当てるステップと、
前記ネットワークノードが、前記端末にスケジューリング制御情報を送信するステップであって、前記スケジューリング制御情報は、前記第１のサブフレームの前記アップリンク送信リソース上でデータを送信するよう前記端末に指示するのに利用される、送信するステップと、
前記第１のサブフレームがダウンリンクサブフレームである場合、前記ネットワークノードが、前記第１のサブフレームにおいてデータを送信することを中止し、前記第１のサブフレームの前記アップリンク送信リソース上で前記端末によって送信されたデータを受信するステップと、
を有するデータ送信方法。
【請求項２】
前記第１のサブフレームがダウンリンクサブフレームである場合、当該方法は更に、
前記ネットワークノードが、近傍セルにおけるネットワークノードに第１の制御情報を送信するステップであって、前記第１の制御情報は、前記第１のサブフレームにおいてデータを送信することを中止するよう前記近傍セルにおける前記ネットワークノードに指示するのに利用される、送信するステップを有する、請求項１記載の方法。
【請求項３】
前記第１のサブフレームがダウンリンクサブフレームであって、前記ネットワークノードが配置されるセルがマクロセルによってカバーされる場合、当該方法は更に、
前記ネットワークノードが、前記マクロセルにおけるネットワークノードに第２の制御情報を送信するステップであって、前記第２の制御情報は、前記第１のサブフレームにおいてデータを送信することを中止するよう前記マクロセルにおける前記ネットワークノードに指示するのに利用される、送信するステップを有する、請求項１又は２記載の方法。
【請求項４】
前記ネットワークノードが、前記端末にスケジューリング制御情報を送信するステップは、
前記ネットワークノードが、第２のサブフレームにおいて前記端末に前記スケジューリング制御情報を送信するステップであって、前記第２のサブフレームは前記第１のサブフレームの前のサブフレームである、送信するステップを有する、請求項１乃至３何れか一項記載の方法。
【請求項５】
前記ネットワークノードが、端末によって送信されたアップリンクデータ送信リクエストを受信するステップは、
前記ネットワークノードが、第３のサブフレームにおいて前記端末によって送信された前記アップリンクデータ送信リクエストを受信するステップであって、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、受信するステップを有する、請求項４記載の方法。
【請求項６】
データ送信方法であって、
端末が、ネットワークノードにアップリンクデータ送信リクエストを送信するステップであって、前記アップリンクデータ送信リクエストは、前記端末にアップリンク送信リソースを割り当てるよう前記ネットワークノードに要求するのに利用される、送信するステップと、
前記端末が、前記ネットワークノードによって送信されたスケジューリング制御情報を受信するステップと、
前記端末が、前記スケジューリング制御情報に基づき第１のサブフレームのアップリンク送信リソース上でデータを送信するステップであって、前記第１のサブフレームはアップリンクサブフレーム又はダウンリンクサブフレームである、送信するステップと、
前記第１のサブフレームがダウンリンクサブフレームである場合、前記端末が、前記第１のサブフレームにおいてデータを受信することを中止するステップと、
を有するデータ送信方法。
【請求項７】
前記端末が、前記ネットワークノードによって送信されたスケジューリング制御情報を受信するステップは、
前記端末が、第２のサブフレームにおいて前記ネットワークノードによって送信された前記スケジューリング制御情報を受信するステップであって、前記第２のサブフレームは前記第１のサブフレームの前のサブフレームである、受信するステップを有する、請求項６記載の方法。
【請求項８】
前記端末が、ネットワークノードにアップリンクデータ送信リクエストを送信するステップは、
前記端末が、第３のサブフレームにおいて前記ネットワークノードに前記アップリンクデータ送信リクエストを送信するステップであって、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、送信するステップを有する、請求項７記載の方法。
【請求項９】
データ送信装置であって、
端末によって送信されたアップリンクデータ送信リクエストを受信するよう構成される受信モジュールであって、前記アップリンクデータ送信リクエストは、前記端末にアップリンク送信リソースを割り当てるようネットワークノードに要求するのに利用される、受信モジュールと、
前記アップリンクデータ送信リクエストに従って前記端末に第１のサブフレームのアップリンク送信リソースを割り当てるよう構成される割り当てモジュールであって、前記第１のサブフレームはアップリンクサブフレーム又はダウンリンクサブフレームである、割り当てモジュールと、
前記端末にスケジューリング制御情報を送信するよう構成される送信モジュールであって、前記スケジューリング制御情報は、前記第１のサブフレームの前記アップリンク送信リソース上でデータを送信するよう前記端末に指示するのに利用される、送信モジュールと、
前記第１のサブフレームがダウンリンクサブフレームである場合、前記第１のサブフレームにおいてデータを送信することを中止するよう前記送信モジュールを制御し、前記第１のサブフレームの前記アップリンク送信リソース上で前記端末によって送信されたデータを受信するよう前記受信モジュールを制御するよう構成される処理モジュールと、
を有するデータ送信装置。
【請求項１０】
前記第１のサブフレームがダウンリンクサブフレームである場合、前記送信モジュールは更に、近傍セルにおけるネットワークノードに第１の制御情報を送信するよう構成され、前記第１の制御情報は、前記第１のサブフレームにおいてデータを送信することを中止するよう前記近傍セルにおける前記ネットワークノードに指示するのに利用される、請求項９記載の装置。
【請求項１１】
前記第１のサブフレームがダウンリンクサブフレームであって、当該データ送信装置が配置されるセルがマクロセルによってカバーされる場合、前記送信モジュールは更に、前記マクロセルにおけるネットワークノードに第２の制御情報を送信するよう構成され、前記第２の制御情報は、前記第１のサブフレームにおいてデータを送信することを中止するよう前記マクロセルにおける前記ネットワークノードに指示するのに利用される、請求項９又は１０記載の装置。
【請求項１２】
前記送信モジュールは、第２のサブフレームにおいて前記端末に前記スケジューリング制御情報を送信するよう構成され、前記第２のサブフレームは前記第１のサブフレームの前のサブフレームである、請求項９乃至１１何れか一項記載の装置。
【請求項１３】
前記受信モジュールは、第３のサブフレームにおいて前記端末によって送信された前記アップリンクデータ送信リクエストを受信するよう構成され、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、請求項１２記載の装置。
【請求項１４】
データ送信装置であって、
ネットワークノードにアップリンクデータ送信リクエストを送信するよう構成される送信モジュールであって、前記アップリンクデータ送信リクエストは、端末にアップリンク送信リソースを割り当てるよう前記ネットワークノードに要求するのに利用される、送信モジュールと、
前記ネットワークノードによって送信されたスケジューリング制御情報を受信するよう構成される受信モジュールと、
前記送信モジュールは更に、前記スケジューリング制御情報に基づき第１のサブフレームのアップリンク送信リソース上でデータを送信するよう構成され、前記第１のサブフレームはアップリンクサブフレーム又はダウンリンクサブフレームであり、
前記第１のサブフレームがダウンリンクサブフレームである場合、前記第１のサブフレームにおいてデータを受信することを中止するよう前記受信モジュールを制御するよう構成される処理モジュールと、
を有するデータ送信装置。
【請求項１５】
前記受信モジュールは、第２のサブフレームにおいて前記ネットワークノードによって送信された前記スケジューリング制御情報を受信するよう構成され、前記第２のサブフレームは前記第１のサブフレームの前のサブフレームである、請求項１４記載の装置。
【請求項１６】
前記送信モジュールは、第３のサブフレームにおいて前記ネットワークノードに前記アップリンクデータ送信リクエストを送信するよう構成され、前記第３のサブフレームは前記第２のサブフレームの前のサブフレームであり、前記第３のサブフレームと前記第１のサブフレームとの間のサブフレーム間のスペースはｋであり、ｋは１より大きい正の整数である、請求項１５記載の装置。
【請求項１７】
請求項１乃至８何れか一項記載の方法をコンピュータに実行させるプログラム。
【請求項１８】
請求項９乃至１３何れか一項記載のデータ送信装置を有するネットワークノード。
【請求項１９】
請求項１４乃至１６何れか一項記載のデータ送信装置を有する端末。
【請求項２０】
請求項１８記載の１つ以上のネットワークノードと請求項１９記載の１つ以上の端末とを含む移動通信システム。
【手続補正２】
【補正対象書類名】明細書
【補正対象項目名】００１３
【補正方法】変更
【補正の内容】
【００１３】
可能な設計では、端末が、ネットワークノードにアップリンクデータ送信リクエストを送信するステップは、端末が、第３のサブフレームにおいてネットワークノードにアップリンクデータ送信リクエストを送信するステップであって、第３のサブフレームは第２のサブフレームの前のサブフレームであり、第３のサブフレームと第１のサブフレームとの間のサブフレーム間のスペースはｋであり、正の整数である、送信するステップを有する。
【手続補正３】
【補正対象書類名】明細書
【補正対象項目名】００７１
【補正方法】変更
【補正の内容】
【００７１】
図７は、本発明の実施例５によるデータ送信装置の概略的な構成図である。図７に示されるように、当該装置は、送信モジュール２１、受信モジュール２２及び処理モジュール２３を含む。送信モジュール２１は、ネットワークノードにアップリンクデータ送信リクエストを送信するよう構成され、ここで、アップリンクデータ送信リクエストは、端末にアップリンク送信リソースを割り当てるようネットワークノードに要求するのに利用される。受信モジュール２２は、ネットワークノードによって送信されたスケジューリング制御情報を受信するよう構成される。送信モジュール２１は更に、スケジューリング制御情報に基づき第１のサブフレームのアップリンク送信リソース上でデータを送信するよう構成され、ここで、第１のサブフレームはアップリンクサブフレーム又はダウンリンクサブフレームである。処理モジュール２３は更に、第１のサブフレームがダウンリンクサブフレームである場合、第１のサブフレームにおいてデータを受信することを中止するよう受信モジュール２２を制御するよう構成される。
【国際調査報告】
2019515548.tif 000012
2019515548.tif 000013
2019515548.tif 000014
2019515548.tif 000015